(57)【要約】【課題】省スペースで部品点数が少なく、しかも安定した充電端子保持構造を提供することを目的とする。【解決手段】本発明に係わる充電用機器は、本体（カバー１とケース２）と、外部から供給される電流を電子機器に伝える充電用端子４と、充電端子４を前記本体の外部に押し出すレバー３と、充電端子４とレバー３とを保持するホルダー５と、を備え、充電端子４の一部は、コイル部４Ｂを有し、レバー３は、足部３Ｃを有し、レバー３が押された際、足部３Ｃがコイル部４Ｂを押圧することにより、充電端子４が本体の外部に押し出される。【選択図】図１
2008306781.tif 000002
【特許請求の範囲】
【請求項１】
本体と、
前記本体の外部から供給される電流を電子機器に伝える充電用端子と、
前記充電端子を前記本体の外部に押し出すレバーと、
前記充電端子と前記レバーとを保持するホルダーと、を備え、
前記充電用端子の一部は、コイル部材を有し、
前記レバーは、足部を有し、
前記レバーが押された際、前記足部が前記コイル部材を押圧することにより、前記充電用端子が前記本体の外部に押し出されることを特徴とする充電用機器。
【請求項２】
前記レバーと前記充電端子とが近接していることを特徴とする請求項１記載の充電用機器。
【請求項３】
前記レバーの足部は円弧状の形状を特徴とする請求項１または請求項２に記載の充電用機器。
【請求項４】
前記ホルダーは充電台の外観の一部も構成することを特徴とする請求項１から請求項３のいずれか1項に記載の充電用機器。
【請求項５】
前記本体及び前記レバーにPLA樹脂を用いたことを特徴とする請求項１から請求項４のいずれか1項に記載の充電用機器。
【請求項６】
前記レバーと前記充電用端子とは、前記本体の同一面に配置されたことを特徴とする請求項１から請求項５のいずれか１項に記載の充電用機器。
【発明の詳細な説明】
【技術分野】
【０００１】
本発明は、小型省スペースの中で、端子保護機能付きでかつ、安定した電流供給を可能にした充電端子保持
構造並びにこれを備えた充電用機器に関するものである。
【背景技術】
【０００２】
従来、この種の充電端子保持構造としては、例えば、特許文献１に記載されているようなものがあった。図５は前記特許文献に記載された従来の充電端子保持構造の全体正面図を、図６は端子保持構造部の正面図詳細を、
図７は端子保持構造の斜視図を、図８は断面図を示している。この充電装置は装着部１１に携帯機器１６が装着されていない状態ではシーソー片１５が両端の突出部１２を装着部１１に突出させて、傾動体１４が出力端子部１３をケース１０内の引き込み位置としている。充電装置は、シーソー片１５の一方の突出部１２がケース１０内に向かって押し込まれて、他方の突出部１２が装着部１１に突出される状態においては、傾動体１４が出力端子部１３をケース１０内に引き込み位置としている。さらに充電装置は、装着部１１に携帯機器２５が装着されて、シーソー片１５の両端部の突出部１２が押されると、シーソー片１５が中間で傾動体１４を押して、出力端子部１３が携帯機器１６の電源端子１７に接触するように出力端子部１３をケース１０に突出させる。
【特許文献１】特開２００６−５０７５８号公報
【発明の開示】
【発明が解決しようとする課題】
【０００３】
しかしながら、前記従来構造では、てこの原理を利用する為、レバーの押し込み部（力点：突出部１２）と端子（作用点：出力端子部１３）とは、ある程度の距離を離す必要があった。その為、レバー自体が大きくなり、装置全体としても広いスペースを必要としていた。また構造も複雑で、部品点数も多く組立が困難であるという問題があった。さらに、レバーと充電端子が近接した場合には構成すること事態が非常に困難であった。
【０００４】
本発明は上記課題を解決するため、省スペースで部品点数が少なく、しかも安定した充電端子保持構造を提供することを目的とする。
【課題を解決するための手段】
【０００５】
前記従来の課題を解決するため、本発明に係わる充電用機器は、本体と、外部から供給される電流を電子機器に伝える充電用端子と、前記充電端子を前記本体の外部に押し出すレバーと、前記充電端子と前記レバーとを保持するホルダーと、を備え、前記充電用端子の一部は、コイル部材を有し、前記レバーは、足部を有し、前記レバーが押された際、前記足部が前記コイル部材を押圧することにより、前記充電用端子が前記本体の外部に押し出されることを特徴とする。
【０００６】
この構成により、本発明の充電端子保持構造によれば、省スペースで部品点数の少ない、しかも安定した充電端子保持構造を提供すると共に、筐体金型構造の簡素化と品質向上をも可能にすることができる。
【０００７】
また、本発明に係わる充電端子はコイル状に複数巻きしてバネ性を持たせることを特徴とする。
【０００８】
この構成により、バネはプリテンションを持った状態でホルダー端部とレバーの足部を押すことにより、レバー頭部を常に突出させることになり、レバー頭部が押された時だけ、端子を突出させる事ができる。コイル状の複数巻き部はバネ性を持たせると共に、レバー足部からの力を端子全体に伝える役目を兼ねており端子が傾くことなく、平行に押し出す事が可能になる。
【０００９】
また、本発明に係わるレバーの押出し足部は円弧状の形状を有することを特徴としている。
【００１０】
この形状により、レバーの足が起こされていく時に充電端子の複数巻きコイルと円弧どうしで接触するため、互いにスムーズな動作を可能にすることができる。また、携帯電話等の電子機器が取り除かれて初期状態に戻る際も円弧どうしの接点であるため、バネの戻り力によりスムーズに初期位置へ戻ることができる。この構造により、てこの回転方向の力と水平方向の力の相互変換を可能にしている。
【００１１】
また、本発明に係わるホルダーは充電台の外観の一部を構成することを特徴としている。
【００１２】
充電台に本体を固定するための屋根状の引っかけ部は金型構造上、アンダーカットと呼ばれる形状となり、スライド構造と呼ばれる金型機構が必要であった。スライド構造は、複雑でコストも高く、メンテナンス、成型時のバリの不具合と、多々課題があるが、本構成によりスライド構造をとることなく、屋根の下の穴部をホルダーの一部で隠すことができる。
【発明の効果】
【００１３】
以上のように、本発明の充電端子保持構造によれば、省スペースで部品点数の少ない、しかも安定した充電用機器を提供することができる。
【発明を実施するための最良の形態】
【００１４】
以下に、本発明の実施の形態について、図面を参照しながら説明する。
【００１５】
（実施の形態１）
図１は、本発明を適用した充電機器の斜視図を、図２は充電端子ユニットの斜視図を示す。図１のカバー１とケース２が嵌合し、内部に図２の充電端子ユニット（レバー３、充電端子４、ホルダー５）が内蔵されている。
【００１６】
レバー３は、ホルダー５の受けリブ５Ａとカバーのレバー軸受けリブ１Ａにて支えられ、レバー回転軸３Ｂを
中心に回転動作が可能である。一方充電端子のコイル部４Ａはホルダーガイド部５Ｂに保持され、片方の端部４Ａは携帯電話等の電子機器本体への接点部を有し、もう一方の端部４Ｃはリード線に接続されて外部コネクタ６からの電流を伝えている。そして、充電端子ユニット（前記のレバー３、充電端子４、ホルダー５）は、カバー１とケース２の間に嵌合されている。
【００１７】
次に、図３〜図６を用いて本発明の動作について説明する。
【００１８】
携帯電話等の電子機器が充電台に挿入されると、レバーの頭部３Ａが携帯電話等の電子機器によって充電台の内側方向へ押し込まれる（図３矢印１）。レバー３は、支点３Ｂを中心に、てこの動作によりレバー足部３Ｃを回転方向に押し上げる（図３矢印２）。円弧状のレバー足部３Ｃは充電端子のコイル部４Ｂに当接しながら回転方向の力を端子押出方向への力に変換する（図３矢印３）。充電端子の接点部４Ａは平行移動しながら充電台から突出して携帯電話等の電子機器の端子部に接続して、電流を供給する状態となる（図５もしくは図６）。
【００１９】
一方、充電端子４はバネ性を有することから、携帯電話等の電子機器本体が取り除かれると自力で元の位置に戻ろうとする。端子のコイル部４Ｂは、レバーの足部３Ｃに力を伝え、行きとは逆の動作を起こし、レバー頭部３Ａも元の位置に戻ることになる（図４矢印４）。
【００２０】
また、ホルダーの一部５Ｃ（ブラインド部）は形状を延長し、カバー外観の一部を形成している。図１の引っかけ屋根１Ｂは携帯電話等の電子機器本体を固定する為の屋根状の引っかけ部であるが、金型構造上アンダーカットとなり、前記の種々課題があった。しかし、この部分を図のような食いきり構造で形成し、別部品のホルダーで補完することにより、前記の種々課題を解決することができる。特に、近年注目されているPLA等のいわゆるエコ材料樹脂は流動性が良く、バリが発生しやすいという大きな課題を抱えているが、本構造によれば有効な対策となる。
【００２１】
以上のように、本発明に係わる充電端子は外部コネクタとリード線にて繋がれており、通常状態では充電台の中に収まっている。携帯電話等の電子機器本体が装着されることによりレバーが押され、同時に、レバーがホルダー内の充電端子コイル部を直接押し上げながら、端子を前方に押し出すことにより、端子は充電台から突出して携帯電話等の電子機器に達することにより、電流を供給することができる。これらにより、従来よりも構成スペースを小さくし、レバーの両側面から端子を突出するという従来方式では困難であった充電端子保持構造を可能にすることができる。
【００２２】
なお、充電機器全体を本体としてもよいし、カバー１とケース２とを組み合わせたものを本体としてもよいし、カバー１とケース２とは、一体成形されていてもよい。
【００２３】
また、上記実施例および図１に記載のように、充電端子ユニットは、本体の内側面に設けられている場合、側端面部分に端子があるようなより小型の電子機器に対応することができる。
【００２４】
また、レバー３と充電端子４とが近接していることにより、省スペース化の実現が図れている。ここで、近接とは、完全に接することを要さず、小型の電子機器の充電に対応できる程度に近いものであればよい。
【産業上の利用可能性】
【００２５】
本発明は、内部電池を保有する電子機器の充電機において有用であり、特に携帯端末の充電機器において有用
である。
【図面の簡単な説明】
【００２６】
【図１】本発明を適用した充電機器の斜視図
【図２】充電ユニットの斜視図
【図３】充電機器の断面図
【図４】充電ユニットの断面図
【図５】充電機器の断面図
【図６】充電機器の断面図
【図７】従来の充電端子保持構造の全体正面図
【図８】従来の端子保持構造部の正面図
【図９】従来の端子保持構造の斜視図
【図１０】従来の端子保持構造の断面図
【符号の説明】
【００２７】
１    カバー
１Ａ    レバー軸受けリブ（カバー）
１Ｂ    引っかけ屋根
２    ケース
３    レバー
３Ａ    レバー頭部
３Ｂ    レバー回転軸
３Ｃ    レバー足部
４    充電端子
４Ａ    端子接点部
４Ｂ    端子コイル部
４Ｃ    端子リード線接続部
５    ホルダー
５Ａ    レバー軸受けリブ（ホルダー）
５Ｂ    ガイド部
５Ｃ    ホルダーブラインド部
６    外部コネクタ
１０    ケース
１１    装着部
１２    突出部
１３    出力端子部
１４    傾動体
１５    シーソー片
１６    携帯機器
１７    電源端子
【図１】
2008306781.tif 000003
【図２】
2008306781.tif 000004
【図３】
2008306781.tif 000005
【図４】
2008306781.tif 000006
【図５】
2008306781.tif 000007
【図６】
2008306781.tif 000008
【図７】
2008306781.tif 000009
【図８】
2008306781.tif 000010
【図９】
2008306781.tif 000011
【図１０】
2008306781.tif 000012